(57)【要約】  【課題】冷蔵室のドア開閉が増加する夏場においても、製氷室の能力を確保する冷蔵庫を提供することを目的とする。  【解決手段】第１の冷却器１７で冷蔵室と切替室を冷却し、第２の冷却器２０で製氷室、及び第２の冷凍室を冷却し、野菜室は製氷室を冷却する冷気で冷却することにより、夏場に冷蔵室のドア開閉が増え、冷蔵室に暖湿気が流入しても、製氷室を冷却する第２の冷却器２０は影響を受けず、製氷室の能力を確保することができる。また、野菜室は製氷室を冷却する冷気で冷却することで、野菜室の適正な冷却が可能となる。【選択図】図２
2006002999.tif 000002
【特許請求の範囲】
【請求項１】
冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた野菜類を貯蔵する野菜室と、前記冷蔵室背面に設置した第１の冷却器と、前記第１の冷却器と前記冷蔵室を仕切り前記第１の冷却器によって冷却された冷気を前記冷蔵室に導くための冷蔵室用吐出風路と、前記冷蔵室を冷却した冷気を第１の冷却器に戻すための冷蔵室用戻り風路と、前記冷蔵庫本体の断熱材と一体に発泡された前記野菜室と前記第２の冷凍室を仕切る仕切り壁と、前記第１の冷却器によって冷却された冷気を前記切替室に導くための切替室用吐出風路と、前記切替室を冷却した冷気を第１の冷却器に戻すための切替室用戻り風路と、前記製氷室及び前記第２の冷凍室を冷却する前記第２の冷凍室の奥に設置した第２の冷却器と、前記第２の冷却器で冷却された冷気を前記製氷室へ導く吐出風路と、前記製氷室を冷却した冷気を野菜室に導入するための野菜室用吐出風路と、前記野菜室を冷却した冷気を第２の冷却器に戻すための野菜室用戻り風路と、前記第２の冷却器で冷却された冷気を前記第２の冷凍室へ導く吐出風路と、前記第２の冷凍室から冷気を第２の冷却器に戻すための第２の冷凍室用戻り風路とを備え、前記第１の冷却器で前記冷蔵室と前記切替室を冷却し、前記第２の冷却器で前記製氷室及び前記第２の冷凍室を冷却し、野菜室は製氷室を冷却する冷気で冷却するようにしたことを特徴とする冷蔵庫。
【請求項２】
前記野菜室は野菜を収納するケースと、前記ケースの上方を覆うプレートとを備え、前記製氷室を冷却した冷気を野菜室に導入するための野菜室用吐出風路から野菜室内に吐出される冷気が直接野菜に触れず、間接的に野菜を冷却することを特徴とした請求項１に記載の冷蔵庫。
【請求項３】
前記野菜室用吐出風路と前記野菜室用戻り風路に連結した野菜室の上方に配設された野菜室上面風路を備え、前記野菜室用吐出風路からの冷気を直接前記野菜室内に流入させることなく前記野菜室上面風路の表面から間接的に野菜室を冷却することを特徴とした請求項１に記載の冷蔵庫。
【請求項４】
前記野菜室上面風路の一部に熱伝導の良好な金属板を備え、前記野菜室上面風路の表面から間接的に野菜室を冷却することを特徴とした請求項３に記載の冷蔵庫。
【請求項５】
前記野菜室上面風路の一部に直径２ｍｍ以下の開口部を複数備え、前記野菜室上面風路を通過する冷気の一部を直接野菜室内に流入させることを特徴とした請求項３または４に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が検討されている（例えば、特許文献１参照）。
【０００３】
図７は、特許文献１に記載された従来の冷蔵庫を示すものである。図７に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却室に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場冷蔵室の扉開閉が増えた場合、大量の暖湿気が冷却器に付着することにより冷却器の能力が大幅にダウンし、製氷スピードが落ちるという課題を有していた。また野菜室に直接冷却器からの冷気を吐出させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、ドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた野菜類を貯蔵する野菜室と、前記冷蔵室背面に設置した第１の冷却器と、前記第１の冷却器と前記冷蔵室を仕切り前記第１の冷却器によって冷却された冷気を前記冷蔵室に導くための冷蔵室用吐出風路と、前記冷蔵室を冷却した冷気を第１の冷却器に戻すための冷蔵室用戻り風路と、前記冷蔵庫本体の断熱材と一体に発泡された前記野菜室と前記第２の冷凍室を仕切る仕切り壁と、前記第１の冷却器によって冷却された冷気を前記切替室に導くための切替室用吐出風路と、前記切替室を冷却した冷気を第１の冷却器に戻すための切替室用戻り風路と、前記製氷室及び前記第２の冷凍室を冷却する前記第２の冷凍室の奥に設置した第２の冷却器と、前記第２の冷却器で冷却された冷気を前記製氷室へ導く吐出風路と、前記製氷室を冷却した冷気を野菜室に導入するための野菜室用吐出風路と、前記野菜室を冷却した冷気を第２の冷却器に戻すための野菜室用戻り風路と、前記第２の冷却器で冷却された冷気を前記第２の冷凍室へ導く吐出風路と、前記第２の冷凍室から冷気を第２の冷却器に戻すための第２の冷凍室用戻り風路とを備え、前記第１の冷却器で前記冷蔵室と前記切替室を冷却し、前記第２の冷却器で前記製氷室及び前記第２の冷凍室を冷却し、野菜室は製氷室を冷却する冷気で冷却するものである。
【０００７】
これによって、第１の冷却器で冷蔵室と切替室を冷却し、第２の冷却器で製氷室、及び第２の冷凍室を冷却するようにしたことにより、夏場に冷蔵室のドア開閉が増え、冷蔵室に暖湿気が流入しても、製氷室を冷却する第２の冷却器は影響を受けず、製氷室の能力を確保することができる。また、野菜室は製氷室を冷却する冷気での冷却が可能となる。
【発明の効果】
【０００８】
本発明の冷蔵庫は、第１の冷却器で冷蔵室と切替室を冷却し、第２の冷却器で製氷室、及び第２の冷凍室を冷却し、野菜室は製氷室を冷却する冷気で冷却することにより、夏場に冷蔵室のドア開閉が増え、冷蔵室に暖湿気が流入しても、製氷室を冷却する第２の冷却器は影響を受けず、製氷室の能力を確保することができる。また、野菜室は製氷室を冷却する冷気で冷却することで、野菜室の適正な冷却が可能となる。
【発明を実施するための最良の形態】
【０００９】
請求項１に記載の発明は、冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた野菜類を貯蔵する野菜室と、前記冷蔵室背面に設置した第１の冷却器と、前記第１の冷却器と前記冷蔵室を仕切り前記第１の冷却器によって冷却された冷気を前記冷蔵室に導くための冷蔵室用吐出風路と、前記冷蔵室を冷却した冷気を第１の冷却器に戻すための冷蔵室用戻り風路と、前記冷蔵庫本体の断熱材と一体に発泡された前記野菜室と前記第２の冷凍室を仕切る仕切り壁と、前記第１の冷却器によって冷却された冷気を前記切替室に導くための切替室用吐出風路と、前記切替室を冷却した冷気を第１の冷却器に戻すための切替室用戻り風路と、前記製氷室及び前記第２の冷凍室を冷却する前記第２の冷凍室の奥に設置した第２の冷却器と、前記第２の冷却器で冷却された冷気を前記製氷室へ導く吐出風路と、前記製氷室を冷却した冷気を野菜室に導入するための野菜室用吐出風路と、前記野菜室を冷却した冷気を第２の冷却器に戻すための野菜室用戻り風路と、前記第２の冷却器で冷却された冷気を前記第２の冷凍室へ導く吐出風路と、前記第２の冷凍室から冷気を第２の冷却器に戻すための第２の冷凍室用戻り風路とを備え、前記第１の冷却器で前記冷蔵室と前記切替室を冷却し、前記第２の冷却器で前記製氷室及び前記第２の冷凍室を冷却し、野菜室は製氷室を冷却する冷気で冷却するものであり、夏場に冷蔵室のドア開閉が増え、冷蔵室に暖湿気が流入しても、製氷室を冷却する第２の冷却器は影響を受けず、製氷室の能力を確保することができる。また、野菜室は製氷室を冷却する冷気で冷却することで、野菜室の適正な冷却が可能となる。
【００１０】
請求項２に記載の発明は、請求項１に記載の発明において、前記野菜室は野菜を収納するケースと、前記ケースの上方を覆うプレートとを備え、前記製氷室を冷却した冷気を野菜室に導入するための野菜室用吐出風路から野菜室内に吐出される冷気が直接野菜に触れず、間接的に野菜を冷却するものであり、冷却された乾燥した冷気に野菜室の野菜類の水分が過度に失われることを防止でき、野菜を最適保存することができる。
【００１１】
請求項３に記載の発明は、請求項１に記載の発明において、前記野菜室用吐出風路と前記野菜室用戻り風路に連結した野菜室の上方に配設された野菜室上面風路を備え、前記野菜室用吐出風路からの冷気を直接前記野菜室内に流入させることなく前記野菜室上面風路の表面から間接的に野菜室を冷却するものであり、冷却された乾燥した冷気に野菜室の野菜類の水分が過度に失われることを防止でき、野菜を最適保存することができる。
【００１２】
請求項４に記載の発明は、請求項３に記載の発明において、前記野菜室上面風路の一部に熱伝導の良好な金属板を備え、前記野菜室上面風路の表面から間接的に野菜室を冷却するものであり、野菜室上面風路の金属板から効率よく野菜室を冷却することができる。
【００１３】
請求項５に記載の発明は、請求項３または４に記載の発明において、前記野菜室上面風路の一部に直径２ｍｍ以下の開口部を複数備え、前記野菜室上面風路を通過する冷気の一部を直接野菜室内に流入させるものであり、大量に野菜等の水分を発散する食品が入れられた場合に、前記野菜室上面風路近傍の水蒸気が前記開口部から吸引され、野菜室が食品から発散される水蒸気で結露滴下して野菜を濡らして保鮮性を著しく悪くすることを防止できる。
【００１４】
以下、本発明の実施の形態について、図面を参照しながら説明する。なお、この実施の形態によってこの発明が限定されるものではない。
【００１５】
（実施の形態１）
図１は本発明の実施の形態１による冷蔵庫の正面図である。図２は本発明の実施の形態１による冷蔵庫の風路図である。図３は本発明の実施の形態１における断面図である。
【００１６】
図１において１は冷蔵庫本体であり、最上部に冷蔵室２と、冷蔵室２の下方に冷凍温度まで冷却可能な切替室３と、切替室３に並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６とを有する。
【００１７】
図２、３において、１７は第１の冷却器であり冷蔵室背面に設置される。１８は冷蔵室冷却用ダクトであり第１の冷却器１７と冷蔵室２を仕切り、第１の冷却器１７によって冷却された冷気を冷蔵室２に導くための冷蔵室用吐出風路１８ａ及び冷蔵室２を冷却した冷気を第一の冷却器１７に戻すための冷蔵室用戻り風路１８ｂを有する。１８ｃは切替室冷却用吐出ダクトであり第１の冷却器１７によって冷却された冷気を切替室３に導く、１８ｄは切替室用戻り風路で切替室３を冷却した冷気を第一の冷却器１７に戻す。１９は冷蔵室用冷却ファンであり第１の冷却器１７で発生した冷気を循環させる。また、２０は第２の冷却器であり、冷凍室５の奥に設置され、製氷室４及び冷凍室５を冷却する。２１は仕切り壁であり野菜室６と冷凍室５を仕切り、冷蔵庫本体１の発泡充填前に設置されている。２２は冷凍室用ダクトであり、第２の冷却器２０で冷却された冷気を冷凍室５へ導く冷凍室吐出風路２２ａ及び冷凍室戻り風路２２ｂを内蔵しており、第２の冷却器２０の前に設置される。２４は製氷室用ダクトであり、第２の冷却器２０で冷却された冷気を製氷室４へ導く製氷室吐出風路２４ａ及び製氷室戻り空気を野菜室に送る野菜室用吐出風路２４ｂ、野菜室戻り空気を第２の冷却器２０に戻す野菜室用戻り風路２４ｃを内蔵しており、第２の冷却器２０の前に設置される。２３は冷凍室用冷却ファンであり、第２の冷却器２０で発生した冷気を循環させる。また、２５は野菜室の野菜を収納するケースである。野菜室プレート２６は前記野菜収納ケース２５の上方を覆うものである。
【００１８】
このような構成において作用を説明する。第１の冷却器１７によって発生した冷気は冷蔵室用ダクト１８の冷蔵室用吐出風路１８ａに導かれ冷蔵室２に供給される。冷蔵室２を冷却した冷気は冷蔵室用ダクト１８の冷蔵室用戻り風路１８ｂに導かれ第１の冷却器１７に帰還する。また、第１の冷却器１７によって発生した冷気の一部は切替室用吐出ダクト１８ｃを経由して切替室３に導かれる。切替室３を冷却した冷気は切替室用戻り風路１８ｄに導かれ第１の冷却器１７に帰還する。
【００１９】
また第２の冷却器２０によって発生した冷気は冷凍室用ダクト２２の冷凍系吐出風路２２ａに導かれ、冷凍室５に供給され、冷凍室５を冷却し、冷凍室用ダクト２２の冷凍系戻り風路２２ｂに導かれ第２の冷却器２０に帰還する。さらに、第２の冷却器２０によって発生した冷気の一部は製氷室用ダクト２４を経由して製氷室４に導かれる。製氷室４を冷却した冷気は野菜室用吐出風路２４ｂを経由して野菜室６に導かれる。その後野菜室６を冷却した冷気は野菜室用戻り風路２４ｃに導かれ第２の冷却器２０に帰還する。
【００２０】
以上のように本実施の形態においては第１の冷却器１７で冷蔵室２及び切替室３を冷却し、第２の冷却器２０で製氷室４、冷凍室５を冷却するようにしたことにより、夏場に冷蔵室２のドア開閉が増え、冷蔵室２に暖湿気が流入しても、製氷室４を冷却する第２の冷却器２０は影響を受けず、製氷室４の能力を確保することができる。また、野菜室６は製氷室４を冷却する冷気で冷却することで、野菜室６の適正な冷却が可能となる。
【００２１】
また、野菜室６は野菜を収納する箱形のケース５と、前記ケース５の上方を覆う野菜室プレート２６とから構成されているので、製氷室４を冷却した冷気を野菜室６に導入するための野菜室用吐出風路２４ｂから野菜室６内に吐出される冷気が直接野菜に触れず、間接的に野菜を冷却できるため、冷却された乾燥した冷気に野菜室６の野菜類の水分が過度に失われることを防止でき、野菜を最適保存することができる。
【００２２】
（実施の形態２）
図４は本発明の実施の形態２による冷蔵庫の正面図である。図５は本発明の実施の形態２による冷蔵庫の風路図である。図６は本発明の実施の形態２における断面図である。
【００２３】
図４において１は冷蔵庫本体であり、最上部に冷蔵室２と、冷蔵室２との下方に冷凍温度まで冷却可能な切替室３と、並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有する。
【００２４】
図５、６において、１７は第１の冷却器であり冷蔵室背面に設置される。１８は冷蔵室冷却用ダクトであり第１の冷却器１７と冷蔵室２を仕切り、第１の冷却器１７によって冷却された冷気を冷蔵室２に導くための冷蔵室用吐出風路１８ａ及び冷蔵室２を冷却した冷気を第一の冷却器１７に戻すための冷蔵室用戻り風路１８ｂを有する。１８ｃは切替室冷却用吐出ダクトであり第１の冷却器１７によって冷却された冷気を切替室３に導く、１８ｄは切替室用戻り風路で切替室３を冷却した冷気を第一の冷却器１７に戻す。１９は冷蔵室用冷却ファンであり第１の冷却器１７で発生した冷気を循環させる。また、２０は、第２の冷却器であり、冷凍室５の奥に設置され、製氷室４及び冷凍室５を冷却する。２１は仕切り壁であり野菜室６と冷凍室５を仕切り、冷蔵庫本体１の発泡充填前に設置されている。２２は冷凍室用ダクトであり、第２の冷却器２０で冷却された冷気を冷凍室５へ導く冷凍室吐出風路２２ａ及び冷凍室戻り風路２２ｂを内蔵しており、第２の冷却器２０の前に設置される。２４は製氷室用ダクトであり、第２の冷却器２０で冷却された冷気を製氷室４へ導く製氷室吐出風路２４ａ及び製氷室戻り空気を野菜室に送る野菜室用吐出風路２４ｂ、野菜室戻り空気を第２の冷却器２０に戻す野菜室用戻り風路２４ｃを内蔵しており、第２の冷却器２０の前に設置される。２７は野菜室６の上方に設置された野菜室冷却用ダクトで両端がそれぞれ前記野菜室用吐出風路２４ｂと野菜室用戻り風路２４ｃに接続されている。また２８は前記野菜室冷却用ダクト２７の下面に設けられた金属板で例えば熱伝導の良いアルミからなっている。２９は前記野菜室冷却用ダクト２７の下面に設けられた開口部で複数の直径２ｍｍ以下の細孔で構成されている。前記２３は冷凍室用冷却ファンであり、第２の冷却器２０で発生した冷気を循環させる。
【００２５】
このような構成において作用を説明する。第１の冷却器１７によって発生した冷気は冷蔵室用ダクト１８の冷蔵室用吐出風路１８ａに導かれ冷蔵室２に供給される。冷蔵室２を冷却した冷気は冷蔵室用ダクト１８の冷蔵室用戻り風路１８ｂに導かれ第１の冷却器１７に帰還する。また、第１の冷却器１７によって発生した冷気の一部は切替室冷却用吐出ダクト１８ｃを経由して切替室３に導かれる。切替室３を冷却した冷気は切替室用戻り風路１８ｄに導かれ第１の冷却器１７に帰還する。
【００２６】
また第２の冷却器２０によって発生した冷気は冷凍室用ダクト２２の冷凍系吐出風路２２ａに導かれ、冷凍室５に供給され、冷凍室５を冷却し、冷凍室用ダクト２２の冷凍系戻り風路２２ｂに導かれ第２の冷却器２０に帰還する。さらに、第２の冷却器２０によって発生した冷気の一部は製氷室用ダクト２４を経由して製氷室４に導かれる。製氷室４を冷却した冷気は野菜室用吐出風路２４ｂ、野菜室冷却用ダクト２７、野菜室用戻り風路２４ｃに導かれ第２の冷却器２０に帰還する。
【００２７】
以上のように本実施の形態においては野菜室容器に複雑な構造を設けることなく、また、野菜室冷却用ダクトの一部が金属板で構成されているため熱伝導が良く効率よく間接的に野菜を冷却することとなるため、冷却された乾燥した冷気に野菜室の野菜類の水分が過度に失われることを防止でき、野菜を最適保存することができる。
【００２８】
また、野菜室冷却用ダクト２７の下面に細孔である開口部２９を複数備えたことにより、大量に野菜等の水分を発散する食品が入れられた場合に、前記野菜室冷却用ダクト近傍の水蒸気が前記開口部から吸引され、野菜室が食品から発散される水蒸気で結露滴下して野菜を濡らして保鮮性を著しく悪くすることを防止できる。
【産業上の利用可能性】
【００２９】
以上のように、本発明にかかる冷蔵庫は、第１の冷却器で冷蔵室と切替室を冷却し、第２の冷却器で製氷室、冷凍室を冷却するようにしたことにより、夏場に冷蔵室のドア開閉が増え、冷蔵室に暖湿気が流入しても、製氷室を冷却する第２の冷却器は影響を受けず、製氷室の能力を確保することができ、また、野菜室は製氷室を冷却する冷気で冷却することで、野菜室の適正な冷却が可能となり野菜を最適保存することができるので、冷却貯蔵庫や冷凍機器全般の冷却の用途にも適用できる。
【図面の簡単な説明】
【００３０】
【図１】本発明による冷蔵庫の実施の形態１を説明する冷蔵庫正面図
【図２】本発明による冷蔵庫の実施の形態１を説明する冷蔵庫風路正面図
【図３】本発明による冷蔵庫の実施の形態１を説明する冷蔵庫断面図
【図４】本発明による冷蔵庫の実施の形態２を説明する冷蔵庫正面図
【図５】本発明による冷蔵庫の実施の形態２を説明する冷蔵庫風路正面図
【図６】本発明による冷蔵庫の実施の形態１を説明する冷蔵庫断面図
【図７】従来の冷蔵庫の冷蔵庫風路正面図
【符号の説明】
【００３１】
１    冷蔵庫本体
２    冷蔵室
３    切替室
４    製氷室
５    冷凍室
６    野菜室
１７  第１の冷却器
１８ａ  冷蔵室用吐出風路
１８ｂ  冷蔵室用戻り風路
１８ｃ  切替室用吐出風路
１８ｄ  切替室用戻り風路
２０  第２の冷却器
２１  仕切り壁
２２  冷凍室用ダクト
２４ａ  製氷室用吐出風路
２４ｂ  野菜室用吐出風路
２４ｃ  野菜室用戻り風路
２２ａ  冷凍室用吐出風路
２２ｂ  冷凍室用戻り風路
２５  ケース
２６  野菜室プレート
２７  野菜室冷却ダクト
２８  金属板
２９  開口部
【図１】
2006002999.tif 000003
【図２】
2006002999.tif 000004
【図３】
2006002999.tif 000005
【図４】
2006002999.tif 000006
【図５】
2006002999.tif 000007
【図６】
2006002999.tif 000008
【図７】
2006002999.tif 000009